(57)【特許請求の範囲】
【請求項１】
携帯型情報処理装置に内蔵され、光源から出射されたレーザ光を外部のスクリーンに対して投射する画像表示装置であって、
前記レーザ光を外部に導く投射窓が設けられた第１のユニットと、
前記第１のユニットを回動可能に支持する第２のユニットと
を備え、
前記第１のユニットは、前記携帯型情報処理装置の筐体内において前記投射窓が遮蔽される第１の位置と、前記携帯型情報処理装置の筐体外に前記投射窓が露出される第２の位置との間を回動可能であり、
前記第１のユニットを前記第２の位置側に付勢する付勢部材と、
前記第１のユニットが前記第１の位置と前記第２の位置との間にある場合にのみ当該第１のユニットと一体的に回動可能な回動補助部材と
を更に備え、
前記第１のユニットは、前記付勢部材の付勢力により前記回動補助部材と一体的に前記第２の位置側に回動した後に、当該回動補助部材と離間されて更に同方向に回動可能であることを特徴とする画像表示装置。
【発明の詳細な説明】
【技術分野】
【０００１】
本発明は、半導体レーザを光源として用いる画像表示装置に関する。
【背景技術】
【０００２】
近年、画像表示装置の光源に半導体レーザを用いる技術が注目されている。この半導体レーザは、画像表示装置に多用されてきた水銀ランプに比較して、色再現性がよい点、瞬時点灯が可能である点、長寿命である点、高効率で消費電力を低減することができる点、及び小型化が容易である点など種々の利点を有している。
【０００３】
このような半導体レーザを用いた画像表示装置の利点は、携帯型情報処理装置に内蔵する場合に都合が良く、例えば半導体レーザを用いた画像表示装置を携帯電話端末に内蔵する技術が知られている（特許文献１参照）。
【先行技術文献】
【特許文献】
【０００４】
【特許文献１】特開２００７−３１６３９３号公報
【発明の概要】
【発明が解決しようとする課題】
【０００５】
ところで、上記特許文献１に記載の従来技術では、携帯電話端末に内蔵された画像表示装置は、例えば、携帯電話端末の筐体から側方に突出する投射レンズ部を有し、これにより、画像光を外部のスクリーン上に投射する。しかしながら、携帯型情報処理装置にそのような突出部位が存在すると、装置の小型化が阻害され、また、装置の利便性（例えば、ユーザの取扱性等）が低下するという問題があった。
【０００６】
また、投射レンズ部を突出させる代わりに、携帯型情報処理装置の筐体に投射用窓等を設けることも考えられるが、投射用窓を塵埃等の付着や破損等から保護する必要があり、また、放熱性にも劣るという問題が生じ得る。
【０００７】
本発明は、このような従来技術の課題を鑑みて案出されたものであり、携帯型情報処理装置にコンパクトに内蔵できる構成でありながら、その利便性を高めた画像表示装置を提供することを主目的とする。
【課題を解決するための手段】
【０００８】
本発明の画像表示装置は、携帯型情報処理装置に内蔵され、光源から出射されたレーザ光を外部のスクリーンに対して投射する画像表示装置であって、前記レーザ光を外部に導く投射窓が設けられた第１のユニットと、前記第１のユニットを回動可能に支持する第２のユニットとを備え、前記第１のユニットは、前記携帯型情報処理装置の筐体内において前記投射窓が遮蔽される第１の位置と、前記携帯型情報処理装置の筐体外に前記投射窓が露出される第２の位置との間を回動可能であり、前記第１のユニットを前記第２の位置側に付勢する付勢部材と、前記第１のユニットが前記第１の位置と前記第２の位置との間にある場合にのみ当該第１のユニットと一体的に回動可能な回動補助部材とを更に備え、前記第１のユニットは、前記付勢部材の付勢力により前記回動補助部材と一体的に前記第２の位置側に回動した後に、当該回動補助部材と離間されて更に同方向に回動可能であることを特徴とする。
【発明の効果】
【０００９】
このように本発明によれば、携帯型情報処理装置にコンパクトに内蔵できる構成でありながら、その利便性を高めることが可能となるという優れた効果を奏する。
【図面の簡単な説明】
【００１０】
【図１】本発明に係る画像表示装置１を内蔵した携帯型情報処理装置２の斜視図（（Ａ）画像表示装置１の不使用状態、（Ｂ）画像表示装置１の使用状態）
【図２】画像表示装置１の要部斜視図
【図３】光学エンジンユニット１１に内蔵される光学エンジン部２１の概略構成図
【図４】光学エンジンユニット１１のハウジング１１ａ内部を示す平面図
【図５】情報処理装置２における画像表示装置１周辺を示す部分斜視図
【図６】画像表示装置１におけるヒンジ部１３の詳細を示す斜視図
【図７】ポップアップベース８１の回動範囲を規制する構造の説明図
【図８】スイッチ１５によるポップアップベース８１の繋止構造を示す模式的平面図
【図９】手動による光学エンジンユニット１１のチルト調整の一例を示す斜視図
【発明を実施するための形態】
【００１１】
上記課題を解決するためになされた第１の発明は、携帯型情報処理装置に内蔵され、光源から出射されたレーザ光を外部のスクリーンに対して投射する画像表示装置であって、前記レーザ光を外部に導く投射窓が設けられた第１のユニットと、前記第１のユニットを回動可能に支持する第２のユニットとを備え、前記第１のユニットは、前記携帯型情報処理装置の筐体内において前記投射窓が遮蔽される第１の位置と、前記携帯型情報処理装置の筐体外に前記投射窓が露出される第２の位置との間を回動可能であり、前記第１のユニットを前記第２の位置側に付勢する付勢部材と、前記第１のユニットが前記第１の位置と前記第２の位置との間にある場合にのみ当該第１のユニットと一体的に回動可能な回動補助部材とを更に備え、前記第１のユニットは、前記付勢部材の付勢力により前記回動補助部材と一体的に前記第２の位置側に回動した後に、当該回動補助部材と離間されて更に同方向に回動可能である構成とする。
【００１２】
これによると、画像表示装置の不使用時には第１のユニットを筐体内に格納して投射窓を遮蔽すると共に、画像表示装置の使用時には第１のユニットを回動させることにより所望の投射方向に向けて投射窓を露出させることができるため、携帯型情報処理装置にコンパクトに内蔵できる構成でありながら、その利便性が高まる。
また、付勢部材の付勢力を利用して第１のユニットを第２の位置側に容易に回動させることが可能となり、ユーザの操作性が向上する。この場合、第１のユニットを上記第１の位置に繋止する繋止部材を設けた構成とすれば、必要に応じてその繋止を解除することにより、第１のユニットを第２の位置側に回動させることができる。
さらに、簡易な構成により付勢部材の付勢力を利用して第１のユニットを第２の位置側に容易に回動させることができると共に、その付勢力による回動後は、ユーザは、第１のユニットのみを手動で回動させて所望の投射方向に投射窓を向けることが可能となる。
【００２６】
以下、本発明の実施の形態について図面を参照しながら説明する。説明にあたり、画像表示装置および携帯型情報処理装置における方向（上下、左右、前後）は、原則として図１中に示す矢印の方向にしたがうものとする。
【００２７】
図１は本発明に係る画像表示装置１を内蔵した携帯型情報処理装置２の斜視図（（Ａ）画像表示装置１の不使用状態、（Ｂ）画像表示装置１の使用状態）であり、図２は画像表示装置１の要部斜視図である。
【００２８】
図１（Ａ）に示すように、情報処理装置（ここでは、ノート型のパーソナルコンピュータ）２は、キーボード（操作入力部）３の前側に隣接するパームレスト部４を備えている。パームレスト部４には、その上面（載置面）４ａに開口し、画像表示装置１を内蔵するための収容スペースとして機能する収容凹部５が設けられている。収容凹部５は、ユーザによるキーボード３等の操作を阻害しないようにパームレスト部４の右側の端部に配置されており、その開口５ａの左方には、画像表示装置１用の操作部６が設けられている。なお、情報処理装置２は、画像表示装置１とは別に、その情報処理に関する各種情報を表示するための表示部としてＬＣＤ(Liquid Crystal Display)７を備えている。
【００２９】
画像表示装置１は、図２に示すように、レーザ光を外部のスクリーンに投写するための光学部品がハウジング１１ａに収容された光学エンジンユニット（第１のユニット）１１と、この光学エンジンユニット１１内の光学部品を制御するための基板などがハウジング１２ａに収容された制御ユニット（第２のユニット）１２とから主として構成されている。ここでは、情報処理装置２とは別体として制御ユニット１２を設けた例を示すが、制御ユニット１２と同様の機能を有する制御部を情報処理装置２と一体に設ける構成も可能である。
【００３０】
光学エンジンユニット１１は、パームレスト部４の内部に固定される制御ユニット１２に対しヒンジ部１３を介して連結されている。これにより、光学エンジンユニット１１は、図２中の矢印Ａで示すように、制御ユニット１２により回動可能に支持されており、その回動動作により情報処理装置２の筐体（ここでは、パームレスト部４）から出没自在となっている。また、光学エンジンユニット１１において、ヒンジ部１３と相反する側の端部には投射窓１４が設けられており、この投射窓１４からレーザ光が外部に導かれる。
【００３１】
つまり、画像表示装置１では、図１（Ａ）に示すように、不使用時には光学エンジンユニット１１が情報処理装置２の筐体内に格納されることにより投射窓１４が遮蔽され、図１（Ｂ）に示すように、使用時には光学エンジンユニット１１が回動することにより投射窓１４が露出される。光学エンジンユニット１１の回動動作は、パームレスト部４の右側前面に設けられたスライド式のスイッチ（繋止部材）１５の操作に基づき行われる。
【００３２】
なお、不使用時（格納時）の光学エンジンユニット１１の上面は、例えば、パームレスト部４の上面４ａと面一に配置されることにより、その上面４ａの一部を形成する。また、場合によっては、光学エンジンユニット１１の上面を覆う（すなわち、収容凹部５の開口部を閉鎖する）蓋部材を設け、この蓋部材によってパームレスト部４の上面４ａの一部を形成してもよい。
【００３３】
図３は光学エンジンユニット１１に内蔵される光学エンジン部２１の概略構成図であり、図４は光学エンジンユニット１１のハウジング１１ａ内部を示す平面図である。
【００３４】
図３に示すように、光学エンジン部２１は、所要の画像を外部のスクリーンＳに拡大して投影表示するものであり、緑色レーザ光を出力する緑色レーザ光源装置２２と、赤色レーザ光を出力する赤色レーザ光源装置２３と、青色レーザ光を出力する青色レーザ光源装置２４と、映像信号に応じて各レーザ光源装置２２〜２４からのレーザ光を空間的に変調して像を形成する液晶反射型の空間光変調器２５と、各レーザ光源装置２２〜２４からのレーザ光を反射させて空間光変調器２５に照射させるとともに空間光変調器２５から出射された変調レーザ光を透過させる偏光ビームスプリッタ２６と、各レーザ光源装置２２〜２４から出射されるレーザ光を偏光ビームスプリッタ２６に導くリレー光学系２７と、偏光ビームスプリッタ２６を透過した変調レーザ光をスクリーンＳに投射する投射レンズを含む投射光学系２８とを備えている。
【００３５】
画像表示装置１は、いわゆるフィールドシーケンシャル方式（時分割表示方式）でカラー画像を表示するものであり、各レーザ光源装置２２〜２４から各色のレーザ光が時分割で順次出力され、各色のレーザ光による画像が残像によってカラー画像として認識される。
【００３６】
リレー光学系２７は、各レーザ光源装置２２〜２４から出射される各色のレーザ光を平行ビームに変換するコリメータレンズ３１〜３３と、コリメータレンズ３１〜３３を通過した各色のレーザ光を所要の方向に導く第１および第２のダイクロイックミラー３４，３５と、ダイクロイックミラー３４，３５により導かれたレーザ光を拡散させる拡散板３６と、拡散板３６を通過したレーザ光を収束レーザに変換するフィールドレンズ３７とを備えている。
【００３７】
投射光学系２８からスクリーンＳに向けてレーザ光が出射される側を右側とすると、青色レーザ光源装置２４から青色レーザ光が左方に向けて出射される。この青色レーザ光の光軸に対して緑色レーザ光の光軸および赤色レーザ光の光軸が互いに直交するように、緑色レーザ光源装置２２および赤色レーザ光源装置２３から緑色レーザ光および赤色レーザ光が出射され、この青色レーザ光、赤色レーザ光、および緑色レーザ光が、２つのダイクロイックミラー３４，３５で同一の光路に導かれる。すなわち、青色レーザ光と緑色レーザ光が第１のダイクロイックミラー３４で同一の光路に導かれ、青色レーザ光および緑色レーザ光と赤色レーザ光が第２のダイクロイックミラー３５で同一の光路に導かれる。
【００３８】
第１および第２のダイクロイックミラー３４，３５は、表面に所定の波長のレーザ光を透過および反射させるための膜が形成されたものであり、第１のダイクロイックミラー３４は、青色レーザ光を透過するとともに緑色レーザ光を反射させる。第２のダイクロイックミラー３５は、赤色レーザ光を透過するとともに青色レーザ光および緑色レーザ光を反射させる。
【００３９】
緑色レーザ光源装置２２は、側方に向けて突出した状態で内部筐体４１に形成された取付板４２に取り付けられている。この取付板４２は、リレー光学系２７の収容スペースの右方と後方にそれぞれ位置する右壁部４３と後壁部４４とが交わる角部から右壁部４３を延長するように後壁部４４に直交する向きに突出する。このような構成により、取付板４２はヒートシンクとしての機能を有し、緑色レーザ光源装置２２の放熱が促進されると共に、その熱が内部筐体４１に伝わりにくくなり、他のレーザ光源装置への熱的な影響を抑制することができる。赤色レーザ光源装置２３は、ホルダ４５に保持された状態で後壁部４４の外面側に取り付けられている。青色レーザ光源装置２４は、ホルダ４６に保持された状態で右壁部４３の外面側に取り付けられている。
【００４０】
赤色レーザ光源装置２３および青色レーザ光源装置２４は、いわゆるＣＡＮパッケージで構成され、レーザ光を出力するレーザチップが、ステムに支持された状態で缶状の外装部の中心軸上に光軸が位置するように配置されたものであり、外装部の開口に設けられたガラス窓からレーザ光が出射される。この赤色レーザ光源装置２３および青色レーザ光源装置２４は、ホルダ４５，４６に開設された取付孔４７，４８に圧入するなどしてホルダ４５，４６に対して固定される。青色レーザ光源装置２４および赤色レーザ光源装置２３のレーザチップの発熱は、ホルダ４５，４６を介して内部筐体４１に伝達されて放熱され、各ホルダ４５，４６は、アルミニウムや銅などの熱伝導率の高い材料で形成されている。
【００４１】
赤色レーザ光は、６４０ｎｍの波長を有するが、少なくとも赤色と認識できるものであればよく、例えばピーク波長が６１０〜７５０ｎｍの範囲となる波長領域のものを用いるとよい。また、青色レーザ光は、４５０ｎｍの波長を有するが、少なくとも青色と認識できるものであればよく、例えばピーク波長が４３５〜４８０ｎｍの範囲となる波長領域のものを用いるとよい。
【００４２】
緑色レーザ光源装置２２は、励起用レーザ光を出力する半導体レーザ５１と、半導体レーザ５１から出力された励起用レーザ光を集光する集光レンズであるＦＡＣ(Fast-Axis Collimator)レンズ５２およびロッドレンズ５３と、励起用レーザ光により励起されて基本レーザ光（赤外レーザ光）を出力する固体レーザ素子５４と、基本レーザ光の波長を変換して半波長レーザ光（緑色レーザ光）を出力する波長変換素子５５と、固体レーザ素子５４とともに共振器を構成する凹面ミラー５６と、励起用レーザ光および基本波長レーザ光の漏洩を阻止するガラスカバー５７と、各部を支持する基台５８と、各部を覆うカバー体５９とを備えている。
【００４３】
半導体レーザ５１のレーザチップは、波長８０８ｎｍの励起用レーザ光を出力する。ＦＡＣレンズ５２は、レーザ光のファースト軸（光軸方向に対して直交し且つ図の紙面に沿う方向）の拡がりを低減する。ロッドレンズ５３は、レーザ光のスロー軸（図の紙面に対して直交する方向）の拡がりを低減する。
【００４４】
固体レーザ素子５４は、いわゆる固体レーザ結晶であり、ロッドレンズ５３を通過した波長８０８ｎｍの励起用レーザ光により励起されて波長１０６４ｎｍの基本波長レーザ光（赤外レーザ光）を出力する。この固体レーザ素子５４は、Ｙ（イットリウム）ＶＯ４（バナデート）からなる無機光学活性物質（結晶）にＮｄ（ネオジウム）をドーピングしたものであり、より具体的には、母材であるＹＶＯ４のＹに蛍光を発する元素であるＮｄ＋３に置換してドーピングしたものである。
【００４５】
波長変換素子５５は、いわゆるＳＨＧ(Second Harmonics Generation)素子であり、固体レーザ素子５４から出力される波長１０６４ｎｍの基本波長レーザ光（赤外レーザ光）の波長を変換して波長５３２ｎｍの半波長レーザ光（緑色レーザ光）を生成する。
【００４６】
波長変換素子５５では、固体レーザ素子５４から入射した波長１０６４ｎｍの基本波長レーザ光の一部が波長５３２ｎｍの半波長レーザ光に変換され、変換されずに波長変換素子５５を通過した波長１０６４ｎｍの基本波長レーザ光は、凹面ミラー５６で反射されて波長変換素子５５に再度入射し、波長５３２ｎｍの半波長レーザ光に変換される。この波長５３２ｎｍの半波長レーザ光は、波長変換素子５５で反射されて波長変換素子５５から出射される。緑色レーザ光源装置２２から出力されるレーザ光は、最終的に緑色と認識できるものであればよく、例えばピーク波長が５００ｎｍ〜５６０ｎｍの範囲となる波長領域のレーザ光を出力するようにするとよい。
【００４７】
なお、ガラスカバー５７には、波長８０８ｎｍの励起用レーザ光および波長１０６４ｎｍの基本波長レーザ光が外部に漏洩することを防止するため、これらのレーザ光を透過しない膜が形成されている。
【００４８】
この緑色レーザ光源装置２２は、基台５８を内部筐体４１の取付板４２に取り付けて固定され、緑色レーザ光源装置２２と内部筐体４１の後壁部４４との間に所要の幅（例えば０．５ｍｍ以下）の間隙が形成される。これにより、緑色レーザ光源装置２２の熱が赤色レーザ光源装置２３に伝わりにくくなり、赤色レーザ光源装置２３の昇温を抑制して、温度特性の悪い赤色レーザ光源装置２３を安定的に動作させることができる。また、赤色レーザ光源装置２３の所要の光軸調整代（例えば０．３ｍｍ程度）を確保するため、緑色レーザ光源装置２２と赤色レーザ光源装置２３との間に所要の幅（例えば０．３ｍｍ以上）の間隙が設けられている。
【００４９】
内部筐体４１には、上記緑色レーザ光源装置２２を始めとして、光学エンジン部２１を構成する各構成要素（空間光変調器２５、偏光ビームスプリッタ２６、リレー光学系２７、及び投射光学系２８等）が支持されている。内部筐体４１は、各レーザ光源装置２２〜２４で発生した熱を放熱する放熱体として機能し、アルミニウムや銅などの熱伝導性の高い材料で形成されている。
【００５０】
図４に示すように、内部筐体４１は、光学エンジンユニット１１のハウジング１１ａ内に収容されている。ハウジング１１ａ内には、各色のレーザ光源装置２２〜２４の冷却手段として冷却ファン４９が設けられており、この冷却ファン４９の直下には吸気口６１（図９参照）が設けられている。冷却ファン４９を動作させると、吸気口６１から外気が取り込まれ、この取り込まれた空気は、図４中の矢印Ｂ、Ｃで示すようにハウジング１１ａ内で循環した後に排気口６２（図９参照）から外部に排出される。
【００５１】
また、内部筐体４１では、図３に示すように、投射光学系２８の投射窓１４が配置される右壁部４３の前端部が右方に突出するように設けられている。投射窓１４は、図４に示すように、光学エンジンユニット１１のハウジング１１ａに設けられた開口から外部に露出する。
【００５２】
図５は情報処理装置２における画像表示装置１周辺を示す部分斜視図であり、図６は画像表示装置１におけるヒンジ部１３の詳細を示す斜視図であり、図７はポップアップベース８１の回動範囲を規制する構造の説明図であり、図８はスイッチ１５によるポップアップベース８１の繋止構造を示す模式的平面図であり、図９は手動による光学エンジンユニット１１のチルト調整の一例を示す斜視図である。
【００５３】
画像表示装置１を使用する際には、ユーザは、前出の図１（Ａ）に示した格納位置（第１の位置）にある光学エンジンユニット１１を、図１（Ｂ）および図５に示した使用開始位置（第２の位置）までヒンジ部１３（図６参照）を軸として回動させる必要がある。
【００５４】
ヒンジ部１３では、図６に示すように、光学エンジンユニット１１の前後方向に延在する連結部材７１の長手方向の両端に、第１回動軸Ｄを中心とした１対の第１軸部材７２、７３が連結されている。１対の第１軸部材７２、７３は、光学エンジンユニット１１の筐体に設けられた１対の取付部７４、７５と連結され、これにより、光学エンジンユニット１１のハウジング１１ａが第１回動軸Ｄ周りに回動可能に支持される。また、連結部材７１の長手方向の中心部には、第２回動軸Ｅを中心とした第２軸部材７８が連結されている。
【００５５】
第１回動軸Ｄは、ＬＣＤ７（図１参照）の表示方向となる前後方向に配置されており、投射窓１４から投射されるレーザ光の光軸に対して直交する向きとなる。つまり、ＬＣＤ７の表示方向（すなわち、情報処理装置２を操作するユーザの方向）とは異なる方向に投射窓１４の投射方向が向けられるため、ユーザの操作性および安全性が向上する。ユーザは、第１回動軸Ｄ周りに光学エンジンユニット１１を回動させることで、投射窓１４から投射されるレーザ光の角度を上下方向にチルト調整することができ、これに応じてスクリーン上に表示される画面が上下方向に移動する。これにより、スクリーン上で画面が欠けたり傾いたりすることなく、スクリーンの所要の位置に適切な状態で画面を表示させることができる。
【００５６】
また、第２回動軸Ｅは、第１回動軸Ｄに対して直交する方向に配置されており、第２回動軸周りに光学エンジンユニット１１を回動させることで、スクリーン上に表示される画面を回転させて画面の傾きを補正することができ、第１回動軸Ｄが水平方向となるように調整することで、傾きのない画面を得ることができる。また、第１回
動軸Ｄが水平方向となるように調整した上で、第１回動軸Ｄ周りに光学エンジンユニット１１を回動させることで、投射窓１４から投射されるレーザ光の角度を上下方向に調整することができ、これに応じてスクリーン上に表示される画面が上下方向に移動する。
【００５７】
連結部材７１には、信号線および給電線となる配線ケーブル７６が挿通される複数の開口部７７が設けられ、この配線ケーブル７６は、制御ユニット１２から右方に引き出されて光学エンジンユニット１１に引き込まれる。配線ケーブル７６は、フレキシブルプリント配線板（ＦＰＣ）やリード線（例えばビニル被服電線）などで構成される。
【００５８】
また、画像表示装置１は、光学エンジンユニット１１の格納位置から使用開始位置までの回動を補助する（すなわち、光学エンジンユニット１１を手動によらずに回動させる）回動補助機構を有している。
【００５９】
回動補助機構は、図５に示すように、光学エンジンユニット１１の回動動作を補助するポップアップベース（回動補助部材）８１を有している。ポップアップベース８１は、光学エンジンユニット１１の下面を支持する下部パネル８２と、下部パネル８２の後縁に連なり、光学エンジンユニット１１の後面に対向する後部パネル８３と、下部パネル８２の前縁に連なり、光学エンジンユニット１１の前面に対向する前部パネル８４とから構成されている。なお、下部パネル８２の右縁上方は開放されており、投射窓１４からのレーザ光の投射や排気口６２からの排気が妨げられることはない。
【００６０】
前部パネル８４の左端側上部には、前方に突出する回動軸８５が設けられている。回動軸８５は、情報処理装置２側に設けられた軸支持部（図示せず）に回動自在に支持されている。また、図示は省略するが、後部パネル７３の左端側上部には、回動軸８５と同様の構成を有する回動軸が、後方に突出するように回動軸８５と同軸に設けられている。
【００６１】
図７に示すように、回動軸８５にはねじりコイルばね（付勢部材）９１が取り付けられている。ねじりコイルばね９１では、一方のアームがポップアップベース８１の前部パネル８４に固定されると共に、他方のアームが情報処理装置側に固定されている。これにより、ポップアップベース８１（光学エンジンユニット１１）は、ねじりコイルばね９１の付勢力により使用開始位置（図７中に実線で示す位置）側に常時押圧されている。
【００６２】
光学エンジンユニット１１が格納位置にある場合、図８に示すように、前部パネル８４から前方に突設された繋止突起８４ａがスイッチ１５の繋止部１５ａに繋止される（繋止部１５ａの下部に当接する）ことにより、ポップアップベース８１の回動が規制されている。ユーザは、画像表示装置１を使用する際に、スイッチ１５を矢印Ｅで示す右方向にスライドさせることにより、後方に突出した繋止部１５ａによる繋止突起８４ａの繋止（すなわち、繋止部１５ａと繋止突起８４ａとの重なり）を解除することができる。これにより、ねじりコイルばね９１の付勢力によりポップアップベース８１と共に光学エンジンユニット１１が使用開始位置側に（少なくとも投射窓１４が露出される位置まで）回動する。
【００６３】
また、図７に示すように、前部パネル８４には、円弧状の長孔からなる回動規制孔９２が形成されており、この回動規制孔９２には、収容凹部５内において前方から後方に向けて突設された回動規制ピン（回動規制部材）９３が挿入されている。格納位置（図７中に２点鎖線で示す位置）にある光学エンジンユニット１１がポップアップベース８１と共に使用開始位置まで回動すると、ポップアップベース８１における回動規制孔９２の下縁が回動規制ピン９３に当接し、ポップアップベース８１の回動が規制される。すなわち、ポップアップベース８１の回動範囲は、回動規制ピン９３が回動規制孔９２の上縁に当接する格納位置から、回動規制ピン９３が回動規制孔９２の下縁に当接する使用開始位置までの間となる。
【００６４】
このような構成により、ポップアップベース８１は、格納位置と使用開始位置との間において光学エンジンユニット１１と一体的に回動可能となっている。画像表示装置１では、スイッチ１５の操作により光学エンジンユニット１１を容易にポップアップさせることができるため、ユーザが手動により収容凹部５から光学エンジンユニット１１を直接引き起こす必要はない。また、光学エンジンユニット１１の回動により、吸気口６１および排気口６２は、収容凹部５内における閉鎖状態から開放状態となる。
【００６５】
光学エンジンユニット１１は、ポップアップベース８１とは独立して回動可能であり、図９に示すように、ユーザの手動操作により、使用開始位置からポップアップベース８１の回動範囲を超えて（すなわち、ポップアップベース８１から離間されて）、制御ユニット１２に対して略直立した直立位置まで更に回動可能となっている。ここで、後部パネル８３および前部パネル８４では、上端縁の右端側が下向きに傾斜している（すなわち、先細り状をなす）構成であるため、図５に示すように、光学エンジンユニット１１の右端部が露出されて、手動操作の際にユーザが把持し易くなっている。ユーザは、光学エンジンユニット１１を使用開始位置と直立位置との間で回動して、投射窓１４からのレーザ光の投写角度を調整することで、レーザ光をスクリーンＳ上に適切に投写させることができる。
【００６６】
なお、図５に示したように、パームレスト部４の上面４ａに設けられた操作部６には、電源用の操作ボタン９５と、輝度切り替え用の操作ボタン９６と、台形補正用の２つの操作ボタン９７、９８とが設けられている。ユーザは、光学エンジンユニット１１の回動により画面を上下方向に移動させるのに応じて画面の台形補正を行うことができる。
【００６７】
上記情報処理装置２では、画像表示装置１の不使用時には光学エンジンユニット１１を筐体内に格納して投射窓１４を遮蔽すると共に、画像表示装置１の使用時には光学エンジンユニット１１を回動させることにより所望の投射方向に投射窓１４を露出させることができるため、携帯型情報処理装置２にコンパクトに内蔵できる構成でありながら、その利便性を高めることができる。特に、収容スペースを確保し易いパームレスト部４から光学エンジンユニット１１を出没自在に設けたため、画像表示装置１をコンパクトに内蔵できる構成でありながら、スクリーンに対するレーザ光の投射方向を容易に変更することができる。
【００６８】
本発明を特定の実施形態に基づいて説明したが、これらの実施形態はあくまでも例示であって、本発明はこれらの実施形態によって限定されるものではない。また、上記実施形態に示した本発明に係る画像表示装置およびこれを備えた携帯型情報処理装置の各構成要素は、必ずしも全てが必須ではなく、少なくとも本発明の範囲を逸脱しない限りにおいて適宜取捨選択することが可能である。
【００６９】
例えば、情報処理装置のパームレスト部に設けられる画像表示装置の収容スペースとして、いわゆるシェルドライブ等のような周知のドライブベイを利用することもできる。この種のドライブベイについて詳細な説明が必要であれば、例えば、特開２００４−３２６４９９号を参照されたい。
【００７０】
また、例えば、ポップアップベース（回動補助部材）を省略し、光学エンジンユニットと制御ユニットとの間のヒンジ部をばね等により光学エンジンユニットの回動方向に直接付勢する構成も可能である。その場合、ポップアップベースを繋止するスイッチ（繋止部材）は、光学エンジンユニットを直接繋止する構成とすることができる。また、光学エンジンユニットを付勢する手段としては、ねじりコイルばねに限らず、板ばね等の周知の部材を用いることができる。さらに、光学エンジンユニットの使用開始位置（第２の位置）は、図５に示した位置に限らず、少なくとも投射窓が露出される限りにおいて任意の位置に設定することができる。
【産業上の利用可能性】
【００７１】
本発明に係る画像表示装置およびこれを備えた携帯型情報処理装置は、携帯型情報処理装置にコンパクトに内蔵できる構成でありながら、その利便性を高めることを可能とし、半導体レーザを光源として用いる画像表示装置として有用である。
【符号の説明】
【００７２】
１  画像表示装置
２  情報処理装置
３  キーボード（操作入力部）
４  パームレスト部
４ａ  パームレスト部上面（載置面）
５  収容凹部
７  ＬＣＤ（表示部）
１１  光学エンジンユニット（第１のユニット）
１２  制御ユニット（第２のユニット）
１４  投射窓
１５  スイッチ（繋止部材）
８１  ポップアップベース（回動補助部材）
９１  ねじりコイルばね（付勢部材）
Ｓ  スクリーン
【図１】
0005551639.tif 000002
【図２】
0005551639.tif 000003
【図３】
0005551639.tif 000004
【図４】
0005551639.tif 000005
【図５】
0005551639.tif 000006
【図６】
0005551639.tif 000007
【図７】
0005551639.tif 000008
【図８】
0005551639.tif 000009
【図９】
0005551639.tif 000010